(57)【特許請求の範囲】
【請求項１】
所定の消火剤が貯蔵された消火剤容器と、前記消火剤容器とホースを介して接続され、前記消火剤を放出する放出口と、前記消火剤容器から前記放出口に前記消火剤の供給を開始させる操作部とを有し、前記操作部による供給開始の操作が行われることで、前記放出口から前記消火剤が放出されるように構成された消火器であって、
前記操作部は、水平軸回りに回転して、前記消火剤容器と前記ホースとを連通させない第１の位置と、前記消火剤容器と前記ホースとを連通させる第２の位置との間で移動可能に設けられており、前記第２の位置に移動したときに、前記消火剤容器と前記ホースとを連通させて、前記消火剤容器から前記ホースに前記消火剤の供給を開始させるものであり、
前記消火剤容器は、前記消火剤を吐出するための吐出管を内部に備えており、前記吐出管の上部には、前記吐出管に前記第２の位置に位置する前記連通路が接続されるときに弾性体の弾力により伸長して前記連通路内に挿入される挿入部が設けられているものであることを特徴とする消火器。
【発明の詳細な説明】
【技術分野】
【０００１】
この発明は、火災の初期消火のために用いられる消火器に関する。
【背景技術】
【０００２】
従来、火災の初期消火のための装置として消火器が用いられている。このような消火器には消火剤を放出させる操作機構としてレバーが設けられている。
【先行技術文献】
【特許文献】
【０００３】
【特許文献１】実開昭６１−９６９４６号公報
【発明の概要】
【発明が解決しようとする課題】
【０００４】
従来の消火器の場合、レバーを握って消火剤の放出操作をするものとなっているので、消火器を移動させる際などに、持ちにくいだけでなく、レバーを握ってしまい、消火剤を誤放出させてしまうことがあるという問題があった。
【０００５】
この発明は、前記の事情に鑑み、移動時に持ち易くすると共に消火剤の誤放出を防止することができる消火器の提供を目的とする。
【課題を解決するための手段】
【０００６】
この発明は、所定の消火剤が貯蔵された消火剤容器と、前記消火剤容器とホースを介して接続され、前記消火剤を放出する放出口と、前記消火剤容器から前記放出口に前記消火剤の供給を開始させる操作部とを有し、前記操作部による供給開始の操作が行われることで、前記放出口から前記消火剤が放出されるように構成された消火器であって、前記操作部は、水平軸回りに回転して、前記消火剤容器と前記ホースとを連通させない第１の位置と、前記消火剤容器と前記ホースとを連通させる第２の位置との間で移動可能に設けられており、前記第２の位置に移動したときに、前記消火剤容器と前記ホースとを連通させて、前記消火剤容器から前記ホースに前記消火剤の供給を開始させるものであり、前記消火剤容器は、前記消火剤を吐出するための吐出管を内部に備えており、前記吐出管の上部には、前記吐出管に前記第２の位置に位置する前記連通路が接続されるときに弾性体の弾力により伸長して前記連通路内に挿入される挿入部が設けられているものであることを特徴とする消火器である。
【発明の効果】
【００１４】
この発明においては、操作部が、水平軸回りに回転して、消火剤容器とホースとを連通させない第１の位置と、消火剤容器とホースとを連通させる第２の位置との間で移動可能なものとなっており、又、その第２の位置に移動したときに、消火剤が消火剤容器からホースに供給されるものとなっているので、操作部を握っただけでは消火剤が放出されることはなく、即ち、前記従来例のように消火剤が誤放出されることはない。
【００１５】
従って、この発明によれば、操作部を持ち易くすると共に消火剤の誤放出を防止することができる消火器の提供が可能である。
【図面の簡単な説明】
【００１６】
【図１】この発明の一実施形態の消火器を示した正面図であり、（ａ）が操作部が消火剤容器とホースとを連通させていない位置に位置している状態のものを示しており、（ｂ）が操作部が消火剤容器とホースとを連通させる位置に位置している状態のもの示している。
【図２】図１（ａ）の部分拡大図であり、利用者が把持部を握っている状態を示したものである。
【図３】同上の消火器の縦断面図であり、（ａ）が図１（ａ）に対応するものであり、（ｂ）が図１（ｃ）に対応するものである。
【図４】図３の部分拡大図であり、（ａ）が図３（ａ）に対応するものであり、（ｂ）が図３（ｂ）に対応するものである。
【図５】同上の消火器と消火器ボックスとの関係を示した斜視図であり、（ａ）が消火器が格納されている状態を示したものであり、（ｂ）が消火器が消火器ボックスから取り出される際の状態を示したものである。
【発明を実施するための形態】
【００１７】
この発明の実施形態について、消火剤容器内に加圧用ガスボンベ等の加圧源を備えた加圧式の消火器に適用する場合を例に図１乃至図５に基いて説明する。尚、この発明は、後記で説明するように、消火剤容器内に圧縮ガス等の圧力源が封入された蓄圧式の消火器に適用することも可能である。
【００１８】
消火器１は、所定の消火剤が貯蔵された消火剤容器２と、消火剤容器２とホース３を介して接続され、消火剤を放出する放出口４と、消火剤容器２から放出口４に消火剤の供給を開始させる操作部５とを有している。
【００１９】
尚、この消火器１は、加圧式のものであり、図３に示したように、消火剤容器２の内部に、消火剤を吐出するための吐出管６の他に、加圧源としての加圧用ガスボンベ（窒素ガス等が封入されている）７と、その加圧用ガスボンベ７内のガスを消火剤容器２内に導入するためのガス導入管８とを備えている。
【００２０】
操作部５は、消火剤容器２の上部に水平軸回りに回動可能に設けられており、具体的には、その基部５ｂが消火剤容器２の蓋部２ａに軸支部５ａにより水平軸回り（長さ方向軸に直交する軸回り）に回動可能に支持されて設けられている。
【００２１】
又、操作部５は、消火時に消火剤容器２とホース３とを連通させるための連通路５ｃを内部に備えている。尚、本実施形態において、この連通路５ｃは、操作部５の長さ方向軸に直交する向きで基部５ｂを貫通して設けられてたものとなっており、又、一方の端部５ｄがホース３の基部に常時接続され、他方の端部５ｅが操作部５の外部に開口されたものとなっている。
【００２２】
そして、操作部５は、水平軸回りに回転して、消火剤容器２とホース３とを連通させない位置（第１の位置）と、消火剤容器２とホース３とを連通させる位置（第２の位置）との間で移動可能なものとなっている。具体的には、図１に示したように、起立した状態にあって、消火剤容器２とホース３とを連通させない位置（図１（ａ）の位置）から、水平軸回りに矢印Ａ１方向に略９０度回転して、傾倒した状態にあって、消火剤容器２とホース３とを連通させる位置（図１（ｂ）の位置）まで移動可能なものとなっている。この際、図３に示したように、連通路５ｃがホース３と消火剤容器２とを連通させない位置（図３（ａ）の位置）から、連通路５ｃがホース３と消火剤容器２とを連通させる位置（図３（ｂ）の位置）まで移動可能なものとなっている。
【００２３】
これにより、操作部５は、常時には、消火剤容器２とホース３とを連通させない位置にあって、放出口４から消火剤を放出させないものとなっている一方で、消火時には、消火剤容器２とホース３とを連通させる位置に移動したときに、消火剤容器２とホース３とを連通させて、消火剤容器２からホース３に消火剤の供給を開始させて、放出口４から消火剤を放出させるものとなっている。
【００２４】
尚、操作部５は、常時においては、起立状態、即ち、ホース３と消火剤容器２とを連通させない位置に保持されるように、その回転移動が制限部材（安全部材）によって制限されるものとなっており、消火時においては、制限部材による制限を解除することで、傾倒状態に回転移動させることができるようになっている。この操作部５の回転移動を制限する制限部材（安全部材）としては、例えば、図１（ａ）に示したような、常時には、軸支部５ａが設けられている基部５ｂの周囲に装着されて操作部５の回転移動を制限し、消火時には、横方向に引き抜かれて操作部５の回転移動を許容する環状の部材５ｆ（図示の便宜上破線で示している）とすることができる。
【００２５】
ここで、消火器１は、前記のように、操作部５が、水平軸回りに回転して、消火剤容器２とホース３とを連通させない位置と、消火剤容器２とホース３とを連通させる位置との間移動可能なものとなっている。又、消火剤容器２とホース３とを連通させる位置に移動したときに、消火剤容器２とホース３とを連通させて、消火剤容器２からホース３に消火剤の供給を開始させるものとなっている。上記の様にすることで、例えば、利用者が、消火器１を移動させる際に、操作部５を握ったとしても、それだけでは消火剤が放出されることがないようになっており、消火剤の誤放出を防ぐことができるようになっている。
【００２６】
本実施形態の消火器１における操作部５について、更に詳細に説明する。
【００２７】
操作部５は、基部５ｂの上部に把持部５ｇを備えている。利用者は、図２に示したように、この把持部５ｇを把持することができ、消火器１を移動させる際などに利用することができる。
【００２８】
尚、本実施形態において、この把持部５ｇは、底辺部を上に向けた三角形状をなしたものとしているが（操作部５が起立状態にあるとき、底辺部は水平状態となり、利用者が把持し易いようになっている。）、その形状等は適宜変更してもよい（例えば、円形、四角形等してもよい。又、それらループ状の形状の一部を開口させたものとしてもよい。）。
【００２９】
又、操作部５は、図３及び図４に示したように、連通路５ｃを消火剤容器２とホース３とを連通させる位置に移動したときに、連通路５を消火剤容器２内の吐出管６に接続するよう構成されている。
【００３０】
具体的には、図４の拡大図に詳細を示したように、消火剤容器２の吐出管６の上部にはスプリング６ｂ（弾性体の一例）の弾力により伸長可能に設けられている挿入部６ａが設けられている。そして、操作部５が連通路５ｃを消火剤容器２とホース３とを連通させない状態に位置しているときには、吐出管６の挿入部６ａは操作部５の底面によって閉鎖されながら押し下げられた状態になっているが（図４（ａ）の状態）、操作部５が連通路５ｃを消火剤容器２とホース３とを連通させる位置に移動したときには、吐出管６の挿入部６ａはスプリング６ｂの弾力により伸長して連通路５ｃ内に挿入される状態になるようになっている（図４（ｂ）の状態）。連通路５ｃ内には、吐出管６の移動を制御する制御部５ｈが設けられており、連通路５ｃに半分程度吐出管６が移動した位置に固定される。これにより、操作部５は、連通路５ｃを消火剤容器２とホース３とを連通させる位置に移動したときに、連通路５ｃを消火剤容器２内の吐出管６に接続するものとなっている。
【００３１】
尚、前記の通り、操作部５が連通路５ｃを消火剤容器２とホース３とを連通させる位置に移動したときに、吐出管６の挿入部６ａが連通路５ｃ内に挿入されるものとなっていることで、操作部５は連通路５ｃを消火剤容器２とホース３とを連通させた位置に固定的に保持されるようになっている。そして、スプリング６ｂの弾性によって、挿入部６ａが伸長して、連通路５ｃ内に挿入されるものとしたが、挿通部６ａ（吐出管６）全体が上部に移動して、連通路５ｃ内に挿入される様にしても良い。
【００３２】
又、操作部５において、連通路５ｃは、前記の通り、長さ方向中心軸に直交する向きで設けられており、一方の端部５ｄがホース３の基部に常時接続され、他方の端部５ｅが外部に開口されたものとなっているが、操作部５が連通路５ｃを消火剤容器２とホース３とを連通させる位置に移動したときに、この連通路５ｃの開口された端部５ｅに前記の吐出管６の挿入部６ａが挿入されて接続されるものとなっている。
【００３３】
尚、連通路５ｃの開口された端部５ｅには、操作部５が連通路５ｃを消火剤容器２とホース３とを連通させる位置に移動したときに、吐出管６の挿入部６ａの先端によって破封される封板を設けるようにしてもよい。
【００３４】
又、操作部５は、操作部５が連通路５ｃを消火剤容器２とホース３とを連通させる位置に移動したときに、加圧用ガスボンベ７を開動作させるよう構成されている。
【００３５】
具体的には、図４の拡大図に詳細を示したように、消火剤容器２の内部には加圧用ガスボンベ７を開動作させるための押動部９が設けられており、この押動部９の先端部９ａは、操作部５が連通路５ｃを消火剤容器２とホース３とを連通させない位置に位置しているときには、消火剤容器２の蓋部２ａの上部から露出するものとなっている。又、挿動部９の他端部には、加圧用ガスボンベ７の開口を塞ぐ弁体を有し、弁体が押し込まれることでガスボンベ７内のガスが流出する様になっている。つまり、操作部５が連通路５ｃを消火剤容器２とホース３とを連通させる位置に移動したときには、操作部５の側部によって押動されて加圧用ガスボンベ７を開動作させるようになっている。
【００３６】
尚、加圧用ガスボンベ７の押動部９の先端部９ａは、常時においては、図１に示した制限部材５ｆで覆われており、不用意に押されることがないようになっている。
【００３７】
次に、本実施形態の消火器１におけるホース３について、更に詳細に説明する。
【００３８】
ホース３は、略Ｌ字状に保形して形成されたものとなっていると共に、操作部５と連動して共に回転移動可能に設けられたものとなっている。操作部５が連通路５ｃを消火剤容器２とホース３とを連通させない位置にあるときには、図１（ａ）等に示したように、先端に設けられている放出口４を垂直下方に向かわせる配置で設けられたものとなっている。更に、操作部５が連通路５ｃを消火剤容器２とホース３とを連通させる位置にあるときには、図１（ｂ）等に示したように、先端に設けられている放出口４を水平方向に向かわせる配置で設けられたものとなっており、又、その状態で固定されるものとなっている。ホース３は、例えば、プラスチック等の固い素材からなり、消火剤の放出圧で暴れない程度の強度を有している。
【００３９】
消火器１は、ホース３が前記のように構成されていることで、消火剤の放出を開始させるために、操作部５を連通路５ｃが消火剤容器２とホース３とを連通させる位置に移動させるのに連動させて、ホース３の先端に設けられている放出口４を水平方向に向かわせることができ、ホース３を水平に構える工程を省略することができるものとなっている。又、ホース３を把持していなくとも、放出口４を火源に向かわせた状態を保持することができ、消火剤容器２を両手で保持しながらでも、放出口４から消火剤を火源に向けて放出させることができるものとなっており、例えば、力の弱い高齢者であっても、確実に火源に向けて消火剤を放出させることができるものとなっている。
【００４０】
最後に、消火器１は、前記の通り、操作部５を握っただけでは、消火剤を放出させないものとなっており、又、その操作部５が把持部５ｇを備えたものとなっていることで、例えば、図５に示したように、常時は、消火器ボックス１０に格納しておき、消火時は、操作部５の把持部５ｇを握って、消火器ボックス１０から持ち出して使用することが可能となる。
【００４１】
具体的には、例えば、消火器ボックス１０を、消火器１の大きさ等に合わせて縦長の箱体とすると共に、その前面に前傾して開く前傾扉１１を設けてなるものとし、常時は、図５（ａ）に示したように、消火器１を消火器ボックス１０内に格納しておき、消火時は、図５（ｂ）に示したように、前傾扉１１を前傾させて開き、操作部５の把持部５ｇを把持して、消火器１を消火器ボックス１０から持ち出して使用するものとすることが可能となる。
【００４２】
尚、この図５に示した例において、消火器ボックス１０の前傾扉１１は、内部が目視できるようにガラス等で覆われた窓部１１ａと、開閉のための把持用開口１１ｂと、消火器１の動きを規制するための側板１１ｃ（左右両側にある）とを備えたものとなっている。
【００４３】
以上、この発明の実施形態を図１乃至図５に基いて説明したが、この発明は上記の実施形態によって限定されるものではなく、発明の思想の範囲内で適宜構成を変更することができる。
【００４４】
例えば、図示は省略するが、この発明は、消火剤容器内に圧縮ガス等の圧力源が封入された蓄圧式の消火器にも適用することができる。即ち、勿論、加圧用ガスボンベ７、ガス導入管８及び押動部９等の構成は不要であるが、前記の加圧式の消火器１の構成に基いて説明すれば、その他構成については、実質的な変更点としては、吐出管６を挿入部６ａが連通路５ｃ内に挿入されるタイミングで消火剤の圧力（消火剤容器２内の圧力）によって開動作する常時は閉の弁部を更に備えたものとするだけで、この発明の蓄圧式の消火器への適用が可能となる。
【符号の説明】
【００４５】
１：消火器  ２：消火剤容器  ２ａ：蓋部  ３：ホース  ４：放出口
５：操作部  ５ａ：軸支部  ５ｂ：基部  ５ｃ：連通路  ５ｄ：端部
５ｅ：端部  ５ｆ：制限部材  ５ｇ：把持部  ６：吐出管  ６ａ：挿入部
６ｂ：スプリング  ７：加圧用ガスボンベ  ８：ガス導入管  ９：押動部
９ａ：先端  １０：ボックス  １１：前傾扉  １１ａ：窓
１１ｂ：把持用開口  １１ｃ：側板  Ａ１：回転方向
【図１】
0005875433.tif 000002
【図２】
0005875433.tif 000003
【図３】
0005875433.tif 000004
【図４】
0005875433.tif 000005
【図５】
0005875433.tif 000006